(57)【要約】【課題】  優れた抗菌性、熱遮断性、電磁波遮断性、帯電防止性を備えている積層フィルム及び積層体、及び当該積層フィルム又は積層体を使用した建材、合成皮革製品、鮮度保持材、ばんそうこうを提供する。【解決手段】  積層体Ａは、積層フィルム１の一面に合成樹脂フィルム２を接着層３により貼り付けたものである。また、積層フィルム１は、合成樹脂フィルムに抗菌性を有する金属を蒸着して金属層を成膜したのち、成膜した合成樹脂フィルム同士を金属層が内側になるように接着剤によって接着したものである。さらに、この発明にかかる建材、合成皮革製品、鮮度保持材、ばんそうこうは、積層体Ａ又は積層フィルム１を材料の少なくとも一部に使用したものである。【選択図】図１
2005289033.tif 000002
【特許請求の範囲】
【請求項１】
合成樹脂フィルムに抗菌性を有する金属を蒸着させて金属層を成膜し、成膜された合成樹脂フィルム同士を金属層が内側になるように接着剤により接着してなることを特徴とする積層フィルム。
【請求項２】
合成樹脂フィルムの金属層とは反対側の面に、コート層が設けられていることを特徴とする請求項１に記載の積層フィルム。
【請求項３】
合成樹脂フィルムと金属層の間、又は金属層と接着剤の間に、コート層が設けられていることを特徴とする請求項１に記載の積層フィルム。
【請求項４】
第１の合成樹脂フィルムに抗菌性を有する金属を蒸着させて金属層を成膜したのち、前記金属層に接着剤によって第２の合成樹脂フィルムを接着してなることを特徴とする積層フィルム。
【請求項５】
請求項１から請求項４のいずれかに記載の積層フィルムと、前記積層フィルムの少なくとも一面を覆う被覆層とを備えていることを特徴とする積層体。
【請求項６】
被覆層が合成樹脂フィルムによって構成されていることを特徴とする請求項５に記載の積層体。
【請求項７】
被覆層が発泡樹脂によって構成されていることを特徴とする請求項５に記載の積層体。
【請求項８】
被覆層が合成皮革によって構成されていることを特徴とする請求項５に記載の積層体。
【請求項９】
請求項１から請求項４のいずれかに記載の積層フィルム、又は請求項５から請求項８のいずれかに記載の積層体を材料の少なくとも一部に使用していることを特徴とする建材。
【請求項１０】
請求項８に記載の積層体を材料の少なくとも一部に使用していることを特徴とする合成皮革製品。
【請求項１１】
請求項１から請求項４のいずれかに記載の積層フィルム、又は請求項５から請求項７のいずれかに記載の積層体を少なくとも材料の一部に使用していることを特徴とする鮮度保持材。
【請求項１２】
請求項１から請求項４のいずれかに記載の積層フィルム、又は請求項５から請求項７のいずれかに記載の積層体を粉砕してなる微粉末を少なくとも材料の一部に使用していることを特徴とする鮮度保持材。
【請求項１３】
請求項１から請求項４のいずれかに記載の積層フィルム、又は請求項５から請求項７のいずれかに記載の積層体を少なくとも材料の一部に使用していることを特徴とするばんそうこう。
【請求項１４】
請求項１から請求項４のいずれかに記載の積層フィルム、又は請求項５から請求項７のいずれかに記載の積層体を粉砕してなる微粉末を少なくとも材料の一部に使用していることを特徴とするばんそうこう。
【発明の詳細な説明】
【技術分野】
【０００１】
この発明は、抗菌性、抗かび性、熱遮断性、電磁波遮断性、帯電防止性などの優れた性質を有する積層フィルム、積層体及びこれらを材料の一部に使用する建材、合成皮革製品、鮮度保持材、ばんそうこうに関する。
【背景技術】
【０００２】
さて、近年、消費者、特に女性の間では清潔志向が高まっており、壁紙、天井剤、床材などの建材、靴、サンダル、財布、かばん、コートなどの合成皮革製品、浴槽の蓋、鮮度保持材、ばんそうこうなどの日用品についても抗菌性が求められるようになってきている。そのため、従来から、有機抗菌剤を含む壁紙（例えば、特許文献１参照。）や無機抗菌剤を含有する合成皮革（例えば、特許文献２参照。）が開発されている。
【０００３】
しかし、これら壁紙や合成皮革は、含有する抗菌剤が人体に悪影響を与える可能性があったり、その効果を長期的に維持することはできないとの問題点があった。
【０００４】
また、これら壁紙や合成皮革は抗菌性こそ備えてはいるものの、熱遮断性、電磁波遮断性、帯電防止性などについては同時には備えていないとの問題点があった。
【０００５】
さらに、鮮度保持材として、ポリ塩化ビフェニールやポリエチレンフィルム、パルプ素材の不織布・紙が上市されているが、これらはあくまでも酸化防止やドリップ吸収効果のみ備えている。そして、抗菌性を利用した積極的な鮮度保持材としては、食品ラップ布（特許文献３参照。）が見受けられるが、乾燥防止が別途必要であったり、取扱いが必ずしも簡単・便利ではないとの問題点があった。
【特許文献１】特開２００３-２７７２０６号公報
【特許文献２】特開２００２-０３８３８０号公報
【特許文献３】特許第３１５９９４８号公報
【発明の開示】
【発明が解決しようとする課題】
【０００６】
そこで、この発明は人体に悪影響を与えることなく、長期間に渡って抗菌性を維持できるとともに、熱遮断性、電磁波遮断性、帯電防止性などの優れた性質を備え、利便性が高く、コストも低い積層フィルム、積層体、及びこれらを使用する建材、合成皮革製品、鮮度保持材、ばんそうこうを提供することを目的とする。
【課題を解決するための手段】
【０００７】
この発明にかかる積層フィルムは、抗菌性を有する金属からなる金属層とその両面を覆う合成樹脂フィルムとを少なくとも有するものである。また、積層体は、前記積層フィルムの少なくとも一面を覆う被覆層を設けたものである。また、この発明にかかる建材、合成皮革製品、鮮度保持材、ばんそうこうは、前記積層体又は積層フィルムを材料の少なくとも一部に使用したものである。
【発明の効果】
【０００８】
積層フィルムの金属層に含まれる金属は、積層フィルム自体、又はそれに被覆層を設けた積層体の表面に水分が付着すると金属イオン化して、合成樹脂フィルムを透過し、抗菌性及び抗かび性を示す。また、金属層は電気を通すので合成樹脂フィルムの表面に静電気が貯まることはない。さらに、金属層は、電磁波や熱が透過するのを妨害する。
【発明を実施するための最良の形態】
【０００９】
以下、この発明にかかる積層体を実施するための最良の形態について図面に基づいて説明する。
【００１０】
図１は、この発明にかかる積層体Ａの端面を拡大した図であり、この図に示すように、積層体Ａは積層フィルム１の一面に合成樹脂からなる被覆層２を接着層３により付着したものである。そこで、積層フィルム１、被覆層２、接着層３について以下に説明する。
【００１１】
まず、積層フィルム１は、図２に示すように、合成樹脂フィルム１ａに抗菌性を有する金属を蒸着して金属層１ｂを成膜したのち、成膜した合成樹脂フィルム同士を金属層１ｂが内側になるように接着剤１ｃによって接着したものである。
【００１２】
ここで、合成樹脂フィルム１ａは、ポリエステル、ナイロン、ポリエチレン、ポリプロピレン等からなるフィルムであり、その厚さは約５〜５０μｍであり、なかでも、機能の担保と製品費用の点からは約６〜２５μｍが好ましい。なお、合成樹脂フィルム１ａなどの表面に微細な穴を開けることにより、金属層１ｂから溶出する金属イオンの量を増やすことができ、溶出する金属イオンの量によっては、抗菌機能のみではなく抗かび機能をも持ちうる。
【００１３】
金属層１ｂは、銀、銅、亜鉛など抗菌性を有するイオン交換可能な金属からなり、これらのなかでも、安全で変色も無く錆が発生しにくく、抗菌性能や通電性が高いことから銀が最適である。また、金属層１ｂの厚さは、約２０〜１５０ｎｍ程度であり、機能の担保と製品費用の点からは５０〜１００ｎｍ程度が好ましい。
【００１４】
接着剤１ｃは、ポリウレタン系接着剤、ポリエステル系接着剤やアクリル系接着剤など従来から使用されている接着剤であるが、積層体Ａを材料として使用する建材や各種製品は、低ホルムアルデヒド性を求められることが多いので、これらのなかでもポリウレタン系やポリエステル系の接着剤が好ましい。
【００１５】
なお、金属層とその金属層の両面を覆う合成樹脂フィルムを備えてさえいれば、積層フィルム１に代えて他の積層フィルムを使用してもよい。
【００１６】
例えば、図３に示すように、合成樹脂フィルム１１ａの金属層１１ｂとは反対側の面に酸化バリウム、酸化チタン、ケイ素化合物などからなるコート層１１ｄを設けてもよい。コート層１１ｄを設けることにより、積層フィルムのもつ電磁波遮断性、帯電防止性、抗菌性、熱遮断性などを不都合な化学的反応が抑えられる場合には向上することもできる。
【００１７】
また、図４に示すように、合成樹脂フィルム１２ａと金属層１２ｂとの間に酸化チタン等の顔料からなるコート層１２ｄを設けてもよい。コート層１２ｄを設けることにより、金属層１２ｂの金属色を消し、病院の床を構成する床材のような金属色が好まれない製品に対しても使用できるようになる。
【００１８】
また、図５に示すように、金属層１３ｂと接着剤１３ｃの間に硫化バリウムや酸化バリウム等からなるコート層１３ｄを設けてもよい。これにより、金属層１３ｂを構成する抗菌性を有する金属の使用量を減らしても、同等の電磁波遮断性を得ることができ、金属が銀である場合には、積層体の生産費用を下げることができる。
【００１９】
さらに、図６に示すように、合成樹脂フィルム１４ａに抗菌性を有する金属を蒸着して金属層１４ｂを成膜したのち、接着剤１４ｃによって金属層１４ｂに合成樹脂フィルム１４ａを接着することによって積層フィルムを形成してもよい。金属の蒸着工程を減らすことにより、製造費用を低減することもできる。なお、接着剤１４ｃによって合成樹脂フィルム１４ａを接着する代わりに、合成樹脂をコーティングすれば、より製造費用を低減することができる。
【００２０】
次に、被覆層２は、積層体の用途に応じて特に限定することなく様々な合成樹脂層であってもよいが、例えば、ポリプロピレン・ポリエチレンなどのポリオレフィン系樹脂、ポリ塩化ビニル・ポリ塩化ビフェニールなどポリビニル系樹脂、ポリウレタンなどのポリイソシアネート系樹脂からなるフィルムなどが挙げられる。また、積層体を壁紙に使用する場合には、従来から壁紙として使用されている塩化ビニール樹脂やポリオレフィン樹脂フィルムなどの使用が適当であり、合成皮革製品として使用する場合には、従来から合成皮革として使用されているポリウレタン樹脂フィルムなどの使用が適当である。
【００２１】
更に、接着層３は、接着剤１ｃなどと同様、従来から使用されている接着剤であれば使用することができるが、接着剤１ｃと同様に、低ホルムアルデヒド性の点から、ポリウレタン系やポリエステル系の接着剤が好ましい。
【００２２】
なお、被覆層２は合成樹脂フィルムや層を接着剤で貼り付けるほか、合成樹脂を直接塗布してもよく、この場合には製造費用を低減することができる。また、合成樹脂を化学的又は物理的に発泡させることにより、例えば軽量化、柔軟化や熱遮断性をさらに高めることができる。
【００２３】
このような積層フィルム１や積層体Ａは、そのままで又は他の樹脂フィルムや樹脂層や布地などを張り合わせることによって、壁紙、天井剤、床材などの建材、靴、サンダル、財布、かばん、コートなどの合成皮革製品、浴槽の蓋などの日用品として使用することができる。
【００２４】
また、上記の積層フィルム１や積層体Ａに、シリコンを塗布した離型紙、離型性を持つポリエチレンやポリプロピレンフィルムなどの剥離材を粘着剤によって貼付けたのち、適当な大きさに切断することにより、図７に示すような鮮度保持ステッカーＢ（鮮度保持材）を製造することができる。この鮮度保持ステッカーＢは、大根などの野菜、果物、食肉などの食物の腐敗が始まる部分に貼付することによって、食物の鮮度を保持したり成熟を遅らせることができる。
【００２５】
上記粘着剤としては、一般に使用されているものであれば特に制限なく使用できるが、なかでも、残留する水分が金属イオンの溶出を促進するので、水溶性のものが好ましい。なお、積層フィルムや積層体の剥離材が付着していない面には、文字や絵柄を印刷することもできる。また、粘着剤のうえにガーゼなどからなる傷当てパッドを設けることにより、鮮度保持ステッカーとしてだけではなく、ばんそうこうとしても使用できる。
【００２６】
また、上記の積層フィルム１や積層体Ａを鮮度保持ステッカーの構成材として使用するのではなく、図８に示すように、これらを粉砕してなる微粉末１５を粘着剤１６に混ぜ、これを合成樹脂フィルム１７に塗布したフィルムＣを鮮度保持ステッカーとして使用してもよい。これについても、粘着剤のうえにガーゼなどからなる傷当てパッドを設けることにより、鮮度保持ステッカーとしてだけではなく、ばんそうこうとしても使用できる。
【００２７】
さらに、上記の積層フィルム１、積層体Ａ、フィルムＣを適当な大きさに切断することにより、鮮度保持シート（図示せず。）を製造することもできる。この鮮度保持シート（鮮度保持材）は、食肉などの食品の下に敷いたり、食品を覆うことにより、ステッカーＢと同様の効果を生じる。また、当該鮮度保持シートを用いて袋状に形成し、いわゆるレトルト食品用パッケージとして構成することもできる。従来、レトルトパッケージ用積層フィルムには密閉性と紫外線遮断のためすべてアルミが使われ、中に入れる食品には主に化学薬品である防腐剤が含まれていたのに対して、当該鮮度保持シートを用いたパッケージによれば、鮮度保持のみならず、食材の味を害したり健康上問題となる可能性のある化学薬品を使用せずにレトルト食品をパッケージできるので、従来よりもより安全に製造・流通・販売ルートに乗せることが出来るという効果も発揮できる。すなわち、本シートにおいて銀イオンの溶出濃度は、健康を害するレベルにはなく、また、一定レベルになれば飽和した状態となるので、従来の重金属イオンに比べて安全に機能するからである。
【００２８】
次に、この発明に係る積層体を製造して各種試験を行い、この発明をさらに具体的に説明する。
【００２９】
（１）積層体の製造
厚さ９μｍのポリエステルフィルムに純銀をイオン蒸着法により蒸着して、厚さ５０ｎｍの金属層を成膜し、成膜された合成樹脂フィルム同士を金属層が内側になるように接着剤により接着して、積層フィルム（実施例１）を製造した。
【００３０】
（２）抗菌性試験
実施例１について、ＪＩＳ  Ｚ２８０１（フィルム密着法）に従って抗菌性試験を行ったところ、抗菌活性値４．９という優れた抗菌性を示した。なお、試験菌株として、黄色ブドウ球菌（Ｓｔａｐｈｙｌｏｃｏｃｃｕｓ ａｕｒｅｕｓ  ＮＢＲＣ １２７３２）を使用した。
【００３１】
（３）銀イオン溶出テスト
実施例１について、水質試験などで使われるＩＣＰ法により、銀イオン溶出量を計測したところ、８６ｐｐｂの銀イオン溶出を確認した。生物学上５〜１０ｐｐｂで細菌などの微生物は死滅するといわれているので、実施例１は十分な抗菌性を持つことが分った。
【００３２】
このように、実施例１の積層フィルムは、優れた抗菌性、抗かび性、熱遮断性、電磁波遮断性、帯電防止性を示した。そのため、積層フィルムを基材とした積層体を部屋の壁紙、天井材、床材として使用した場合には、外部との熱の移動を抑制して冷暖房の効率を高めることができるとともに、外部への電磁波の放出を抑制して無線ＬＡＮによる情報漏洩を防ぐことができる。
【００３３】
また、この積層フィルムを靴などの合成皮革製品や浴槽の蓋などの日用品の材料として使用した場合には、これらの製品に高い保温効果や抗菌性を付与することができる。
【００３４】
さらに、野菜や果物の腐敗が始まる箇所は決まっているので、その部分に積層フィルム又は積層体を材料とするステッカーを貼付することによって、積極的に腐敗・成熟を遅らせることができる。
【００３５】
加えて、傷を覆った部分に積層フィルム又は積層体を材料とするばんそうこうを貼付すれば、その抗菌性によって傷部の化膿を抑制することができる。
【産業上の利用可能性】
【００３６】
この発明にかかる積層フィルム及び積層体は、優れた抗菌性、熱遮断性、電磁波遮断性、帯電防止性を備えているので、建材や合成皮革製品、鮮度保持部材、ばんそうこうなどの様々な製品に利用することができる。
【図面の簡単な説明】
【００３７】
【図１】この発明にかかる積層体の断面斜視図である。
【図２】この発明にかかる積層フィルムの断面斜視図である。
【図３】この発明にかかる他の積層フィルムの断面斜視図である。
【図４】この発明にかかる他の積層フィルムの断面斜視図である。
【図５】この発明にかかる他の積層フィルムの断面斜視図である。
【図６】この発明にかかる他の積層フィルムの断面斜視図である。
【図７】この発明にかかる鮮度保持ステッカーの外観図である。
【図８】この発明にかかる他の鮮度保持ステッカーの断面図である。
【符号の説明】
【００３８】
Ａ    積層体
Ｂ    鮮度保持ステッカー
１    積層フィルム
２    被覆層
３    接着層
【図１】
2005289033.tif 000003
【図２】
2005289033.tif 000004
【図３】
2005289033.tif 000005
【図４】
2005289033.tif 000006
【図５】
2005289033.tif 000007
【図６】
2005289033.tif 000008
【図７】
2005289033.tif 000009
【図８】
2005289033.tif 000010